(57)【特許請求の範囲】
【請求項１】
電話回線のためのネットワークコントローラユニット用の変成器を備えた第１の制御基板と、信号処理部を備えた第２の制御基板とを適宜隔てて配置した電子機器において、前記第２の制御基板には、前記変成器と対峙した位置にソケットを設け、該ソケットに着脱自在に嵌合するコネクタには、前記第２の制御基板に電力を供給するための電源用電線を接続し、前記電源用電線における電源入力電線と電源出力電線との中途部の両電線を一体的に捩じり形成した捩じれ部を設けたことを特徴とする電子機器における電線の配線構造。
【請求項２】
前記両基板間に、電気絶縁性の仕切り板を配置し、前記電源用電線の中途部を前記仕切り板にほぼ沿わせるように配線したことを特徴とする請求項１に記載の電子機器における電線の配線構造。
【発明の詳細な説明】
【０００１】
【発明の属する技術分野】
本発明は、コピー機能、プリンタ機能、スキャナ機能等を備えたファクシミリ装置、データ通信装置等の電子機器における電線の配線構造に関するものである。
【０００２】
【従来の技術】
従来から、例えばファクシミリ装置では、電話回線を介して他のファクシミリ装置との間で、画像データを伝送するために、ファックスモデム及び通信用変成器（トランス）を有するネットワークコントローラユニット（ＮＣＵ）を備えている。ファクシミリ装置の小型化のため、前記部品や回路は電源部用基板の一部の領域を占めるように配置されていることもある。また、受信した画像データを用紙に記録するプリンタ部とのデータの授受や、送信するための原稿を読取るスキャナ部とのデータの授受のための信号処理部用基板が前記電源部用基板の上方等に適宜間隔を隔てて配置されることが多かった。
【０００３】
ところで、この種の電子機器において、１００Ｖ等の商用電源から電源コードを介して機器本体の電源コネクタに供給された電力は、機器本体内の電源部用基板にて６Ｖ〜２４Ｖ程度等の所定電圧の直流低電圧に降圧させた後、制御用基板等の信号処理部用基板に電源として供給すべく適宜数の電線にて接続していた。この場合、電源用電線は、一般に電源部用基板から前記信号処理部用基板へ電気を入力するための電源入力電線と、前記信号処理部用基板の所望の回路を経て電源部用基板に電流を戻す電源出力電線とを有する。
【０００４】
なおまた、別のメイン制御基板から処理信号を電線を介して信号処理部用基板に伝送して、電源部用基板からの供給電源のＯＮ・ＯＦＦの制御に利用したり、他の信号処理部用基板に処理信号を伝送することも行われていた。
これらの場合、前記各電線と基板との脱着作業を容易にするため、各電線の端部に接続したコネクタを、基板側に固定したソケットに嵌挿して電気的に接続するのが通常であった。
【０００５】
【発明が解決しようとする課題】
しかしながら、前記ネットワークコントローラユニット（ＮＣＵ）における通信用変成器（トランス）の近傍や基板の表面近傍に電源用電線が配線されていると、該電線に流れる電流が比較的大きいため、当該電線の周囲には同心円状の強い磁界が発生し、また前記電流のＯＮ・ＯＦＦにより、前記磁界の強さが時間的に変動して、電磁誘導の原理から、前記通信用変成器や基板の印刷配線部分にてノイズを拾い易いという問題があった。
【０００６】
前記ノイズを拾い難くするには、前記通信用の変成器（トランス）の外周を金属板等の導電体にて覆ったり、前記基板の表面と電源用電線の間に導電体を介挿することが考えられるが、磁気遮蔽体としての導電体と変成器や基板表面とが接触すると電気的短絡のおそれがあり、この事態を回避するための絶縁構造が別途必要になるから、構造が複雑となり，部品点数も増大して嵩高くなり、さらには電子機器全体の組立の工数も増大するという問題があった。
【０００７】
これに代えて、前記電源用電線を、導線の外周を絶縁層を隔てて銅網線にて包囲し、この銅網線を接地（アース）するという磁気遮蔽方法があるが、これとても、電線のコストが高く、且つ接地のための工程が増大するという問題があった。
本発明では、電流の流れる方向が互いに逆となるように対の電線を近接させてほぼ平行状に配置すれば、双方の電線の外周に形成される同心円状の磁界の向きが逆になり、磁界の強さが弱められるという現象を利用することにより、簡単な構成で有害なノイズを内部で発生させないようにした電子機器における電源用の電線の配線構造を提供することを目的とするものである。
【０００８】
【課題を解決するための手段】
前記の目的を達成するため、請求項１に記載した発明の電子機器における電線の配線構造は、電話回線のためのネットワークコントローラユニット用の変成器を備えた第１の制御基板と、信号処理部を備えた第２の制御基板とを適宜隔てて配置した電子機器において、前記第２の制御基板には、前記変成器と対峙した位置にソケットを設け、該ソケットに着脱自在に嵌合するコネクタには、前記第２の制御基板に電力を供給するための電源用電線を接続し、前記電源用電線における電源入力電線と電源出力電線との中途部の両電線を一体的に捩じり形成した捩じれ部を設けたものである。
【０００９】
【００１０】
さらに、請求項２に記載の発明は、請求項１に記載の電子機器における電線の配線構造において、前記両基板間に、電気絶縁性の仕切り板を配置し、前記電源用電線の中途部を前記仕切り板にほぼ沿わせるように配線したものである。
【００１１】
【発明の実施の形態】
次に、本発明を電子機器としてのファクシミリ装置に具体化した実施形態を図面に基づいて説明する。図１はファクシミリ装置１の概略側断面図、図２は電線の配線構造の第１実施形態を示す要部拡大図である。
ファクシミリ装置１のメインケース２の上面前部寄り部位には、操作パネル部（図示せず）付きのカバー体３が開閉可能に装着されており、カバー体３の下面と前記メインケース２の上面との間を原稿１０の搬送部４とし、導入ローラ５、排紙ローラ７等が図示しない駆動モータ、ギヤにより駆動されて原稿１０が給・排紙される一方、その間に配置したＣＣＤスキャナ等の原稿読取り部６にて原稿１０の表面の文字、画像等を読取る。前記搬送部４における孔９には、原稿１０の有無を検知するための検知装置８におけるアクチュエータ１１の先端である接触片２１を突出して臨ませている。
【００１２】
合成樹脂製のアクチュエータ１１における横軸２０は、メインケース２内の支持部（図示せず）に回動自在に枢支され、側面視ほぼ「く」字状に形成されたアーム状のアクチュエータ１１の下端には、反射体２２が一体成形等により設けられている。
そして、被検出物である原稿１０に前記接触片２１が接触しないときには、前記反射体２２の下面（検査面）が下方位置の略水平に配置された第１の制御基板２４の制御部の上面に設けられた光反射型センサ（図示せず）の上面に近接するように、前記横軸２０を中心にして下向き揺動するものである。
【００１３】
また、電源部用基板３８は前記第１制御基板２４とほぼ同じ高さ位置に配置されている。
メインケース２の後部側には、印刷すべき用紙１２を印字部１３に給紙するための給紙ローラ１５等を有する給紙ユニット１４が設けられ、給紙ユニット１４には、前記用紙１２を積層状態でセットする給紙カセット１６が着脱可能に装着されている。なお、ロール状に巻回した広幅のインクリボン１７は、その収納部１８から印字部１３を介して巻取り部１９に搬送される途次に、印字部１３にて印刷すべき用紙１２と密接して並送され印字に供される。
【００１４】
前記印字部１３としてのサーマルヘッドは第２の制御基板としての信号処理部用基板２５の上面に搭載され、この信号処理部用基板２５は、前記収納部１８等から突出するブラケット２６に固定され、前記第１の制御基板２４及び電源部用基板３８の上方に、電気絶縁性を有する合成樹脂製の仕切り板２７を介して略平行状に配置固定されている。
【００１５】
図２に示すように、前記第１の制御基板２４の上面には、第２の制御基板としての信号処理部用基板２５の下方位置においてネットワークコントローラユニット（ＮＣＵ）用の変成器（トランス）２８が固定配置されている。他方、前記信号処理部用基板２５の下面には、前記変成器２８とほぼ対峙する位置にソケット２９を設け、このソケットに着脱可能に嵌合するコネクタ３０には２４Ｖの電圧の電力を供給するための、それぞれ２本づつの電源入力電線３１及び電源出力電線３２の一端が接続されている。
【００１６】
図２の参考例では、電源入力電線３１及び電源出力電線３２の他端は別のコネクタ３３に接続し、このコネクタ３３を前記電源部用基板３８の上面であって、仕切り板２７の一端縁のほぼ下方に固定されたソケット３４に着脱可能に嵌合させるものである。なお、電源入力電線３１及び電源出力電線３２は、各々銅線等の導体の外周を木綿、紙等の電気絶縁体にて巻回し、さらにその外周を塩化ビニル、ポリエチレン等の合成樹脂材（電気絶縁体）にて保護被覆したものや、塩化ビニル、ポリエチレン等の合成樹脂材（電気絶縁体）を導体の外周に直接被覆したもの等が使用される。
【００１７】
そして、電源入力電線３１及び電源出力電線３２が前記信号処理部用基板２５側に接続するコネクタ３０から引き出された中途部を仕切り板２７の表面（上面側）に略沿うように配線し、この中途部、好ましくは変成器２８の上方近傍位置で結束手段３５にて１つの束状に結束するものであり、この結束手段３５としては、公知の構成の合成樹脂製のバンド式結束具、クリッパー等を使用する。
【００１８】
このように構成すると、変成器２８の上方に配置された電源入力電線３１に流れる電流の向きと電源出力電線３２に流れる電流の向きとが互いに逆方向であるため、両電線の外周に発生する同心円状の磁界の向きが互いに逆方向となって打ち消しあい、また、両電線３１，３２が近接するので、磁界の強さが弱められる結果、変成器２８にノイズを与えることが減少できるのである。
【００１９】
図３に示す第１の実施形態では、電源入力電線３１及び電源出力電線３２が前記信号処理部用基板２５側に接続するコネクタ３０から引き出された中途部を仕切り板２７の表面（上面側）に略沿うように配線し、この中途部、好ましくは変成器２８の上方近傍位置で、電源入力電線３１及び電源出力電線３２の４本の電線をまとめて捩じった捩じり部３６を形成するのである。
【００２０】
この実施形態でも、両電線３１，３２が捩じり部３６において互いに近接し、且つ電源入力電線３１に流れる電流の向きと電源出力電線３２に流れる電流の向きとが互いに逆方向であるため、発生する同心円状の磁界の向きが互いに逆方向となって打ち消しあい、磁界の強さが弱められ、その捩じり部３６近傍に位置する変成器２８にノイズを与えることが減少できるのである。
【００２１】
なお、前記信号処理部用基板２５側に接続する電源出力電線３２が前記電源用基板３８以外の箇所に接続されていても、前記信号処理部用基板２５側のソケット２９もしくは電線３１，３２の配線中途部が変成器２８の近傍に位置するかぎり、前記中途部を結束手段３５で結束すること、もしくは捩じり部３６を形成することによる作用・効果は前記参考例の場合と同じであることはいうまでもない。さらに、電源用基板３８は、前記第１の制御基板２４と同じ高さ位置に設ける必要はなく、任意の位置に配置することができる。
【００２２】
また、本発明における変成器（トランス）はＮＣＵ用ばかりでなく、その他のデータ通信用、パルストランス、チョークコイル等のコイル類等であっても良い。
【００２３】
【発明の効果】
以上に詳述したように、請求項１に記載した発明の電子機器における電線の配線構造は、電話回線のためのネットワークコントローラユニット用の変成器を備えた第１の制御基板と、信号処理部を備えた第２の制御基板とを適宜隔てて配置した電子機器において、前記第２の制御基板には、前記変成器と対峙した位置にソケットを設け、該ソケットに着脱自在に嵌合するコネクタには、前記第２の制御基板に電力を供給するための電源用電線を接続し、前記電源用電線における電源入力電線と電源出力電線との中途部の両電線を一体的に捩じり形成した捩じれ部を設けたものである。
【００２４】
このように、第２の制御基板に電力を供給するための電源入力電線と電源出力電線とでは、電流の流れる方向が互いに逆となり、従って、双方の電線の外周に形成される同心円状の磁界の向きが逆になるから、合成された磁界の強さが弱まる。また、両電線を一体的に捩じり形成した捩じれ部を設けることにより、前記両電線をほぼ平行状にて接近させるので、前記両電線の外周に形成される磁界の合成効果が強まる結果、前記合成された磁界の強さの弱まり効果が一層増大し、変成器にノイズが乗り難くなるという効果を奏する。従って、簡単な構成で有害なノイズを電子機器内部で発生させないようにすることができる。
【００２５】
そして、前記の効果を達成させるための構成として、二種類の電線に対する電流の向きを互いに逆にすることと、電源入力電線と電源出力電線との中途部の両電線を一体的に捩じり形成した捩じれ部としたものであるからこの捩じれ部によって、複数の電線を一まとめにして捩じるだけでなるから余分の部品を要することがなく、最もコストを低減することができる。
【００２６】
【００２７】
さらに、請求項２に記載の発明は、請求項１に記載の電子機器における電線の配線構造において、前記両基板間に、電気絶縁性の仕切り板を配置し、前記電源用電線の中途部を前記仕切り板にほぼ沿わせるように配線したものである。
このように構成すれば、電源用電線の中途部が仕切り板の一側面に当接する箇所までは接近できるがそれ以上第１の制御基板における変成器方向への接近は不能となり、電源用電線による変成器への磁界の影響を少なくすることができるという効果を奏する。
【図面の簡単な説明】
【図１】  ファクシミリ装置の概略側断面図である。
【図２】  図１のII−II線矢視で示す電線配線構造の参考例の要部を示す拡大図である。
【図３】  図１のII−II線矢視で示す電線配線構造の第１実施形態の要部を示す拡大図である。
【符号の説明】
１        ファクシミリ装置
２        メインケース
３        カバー体
１３        印字部
２０        横軸
２４        第１の制御基板
２５        第２の制御基板としての信号処理部基板
２７        仕切り板
２８        変成器
２９，３４    ソケット
３０，３３    コネクタ
３１        電源入力電線
３２        電源出力電線
３５        結束手段
３６        捩じり部
３８        電源用基板
【図１】
0003728850.tif 000002
【図２】
0003728850.tif 000003
【図３】
0003728850.tif 000004